(57)【特許請求の範囲】
【請求項１】
エアコンプレッサとエアドライヤとを備え、且つ、ストレーナ並びにドレントラップを具備して成る空気圧縮機におけるドレン排出構造であって、
エアコンプレッサで発生したドレンを排出するためのコンプレッサドレン導入管が備えられると共に、エアドライヤで発生したドレンを排出するためのドライヤドレン導入管が備えられ、
ストレーナは、ストレーナベースとストレーナエレメントと該ストレーナエレメントを内蔵し得るストレーナケースとから成り、
ストレーナベースは、上方にストレーナエレメントを載置可能であって、ドレン導入管を接続可能な二個のドレン導入口を備えると共に、ストレーナケース内にドレンを噴出可能な各ドレン導入口に対応する二個のドレン噴出孔を備え、且つ、ストレーナエレメントを通過したドレンを排出し得る一のドレン排出口を備えて成り、
コンプレッサドレン導入管並びにドライヤドレン導入管はドレン導入口を介してストレーナに接続されると共に、該ストレーナの後段にはドレン排出口に接続されるドレン導出管を介してドレントラップが接続されて成り、
エアコンプレッサ並びにエアドライヤから排出されるドレンは共に一機のストレーナに送出され、該ストレーナを介してドレントラップにより外部へドレンが排出されることを特徴とする空気圧縮機におけるドレン排出構造。
【請求項２】
前記ドライヤドレン導入管における所定中間箇所に、逆止弁が配設されて成ることを特徴とする請求項１に記載の空気圧縮機におけるドレン排出構造。
【請求項３】
前記エアドライヤが、冷凍式エアドライヤであることを特徴とする請求項１または請求項２に記載の空気圧縮機におけるドレン排出構造。
【請求項４】
前記ドレントラップが、電磁式ドレントラップであることを特徴とする請求項１から請求項３のいずれかに記載の空気圧縮機におけるドレン排出構造。
【請求項５】
前記ドレントラップに、サイクルタイマーが装備されていることを特徴とする請求項４に記載の空気圧縮機におけるドレン排出構造。
【発明の詳細な説明】
【技術分野】
【０００１】
本発明は、空気圧縮機におけるドレン排出構造に関し、詳しくは、エアドライヤが内蔵された空気圧縮機にて発生するドレンを排出するための構造に関するものである。
【背景技術】
【０００２】
空気圧縮機により生成された圧縮空気は、食品加工やレンズなど精密機器の仕上げ加工、清掃等の末端、その他各種用途に使用されている。そして、かかる圧縮空気の用途によっては、空気圧縮機から圧縮空気が吐出されるまでの空気圧回路の中間に、各種機器が配設されている。例えば、水分の持ち出しが厳禁である用途に使用される場合には、空気圧回路の中間においてエアドライヤを介する構成が採られており、さらにエアドライヤの後段において除去しきれなかった水分や油分、スラッジや微生物を除去すべく、樹脂製若しくは紙製で網状乃至中空糸膜状のエアフィルタ、若しくは、活性炭を包んだエアフィルタを配設する態様が採られている。
【０００３】
ところで、上記のような従来の圧縮空気圧回路の構成によると、空気圧縮機が吐出する熱を帯びた圧縮空気が配管路で冷却された場合に、加圧下飽和水蒸気量も下がるため配管路内でドレンが発生してしまい、後段の各種機器に該ドレンが浸入してしまうといった問題があった。そこで、空気圧縮機が生成する圧縮空気中の水蒸気量を減少すべく、該空気圧縮機自体にエアコンプレッサとエアドライヤの両機を内蔵させて一機のパッケージとする態様も採られている。
【０００４】
しかしながら、エアコンプレッサでは、そもそも圧縮空気を生成する際の飽和水蒸気量の低下によりドレンが発生する。また、エアドライヤでは、熱交換器により圧縮空気が冷却されることで、同様に加圧下飽和水蒸気量の低下によるドレンが発生する。このように、エアコンプレッサ及びエアドライヤ共にドレンが発生し得ることとなる。
【０００５】
発生したドレンを排出するためには、ドレントラップを備える態様が一般的である。かかるドレントラップは、各機器ごと１基装備されるのが常法であって、各機器で発生したドレンは、各種機器ごとに排出する態様が採られている。
【０００６】
しかしながら、エアコンプレッサとエアドライヤの両機を内蔵させた空気圧縮機において、各機器ごとに夫々ドレントラップを装備するのは、手間がかかると共に煩雑であって、コストアップの原因となっていた。また、ドレントラップの台数増加は、定期メンテナンスや動作不良に対する修繕メンテナンスの手間を煩雑にする要因ともなっていた。
【０００７】
本出願人は、エアコンプレッサとエアドライヤの両機を内蔵させた空気圧縮機に着目し、圧縮空気を生成する際に発生するドレンを一手に排出することができないものかとの着想の下、メンテナンス性やコストパフォーマンス性、機能性の向上に資する空気圧縮機におけるドレン排出構造を開発し、本発明における「空気圧縮機におけるドレン排出構造」の提案に至るものである。
【先行技術文献】
【特許文献】
【０００８】
【特許文献１】特開２０１４−２３１０３５号公報
【発明の概要】
【発明が解決しようとする課題】
【０００９】
本発明は上記問題点に鑑み、エアコンプレッサとエアドライヤの両機を内蔵させた空気圧縮機において、メンテナンス性やコストパフォーマンス性、機能性の向上に資するドレン排出構造の提供を図ることを課題とする。
【課題を解決するための手段】
【００１０】
上記課題を解決するため、本発明は、エアコンプレッサとエアドライヤとを備え、且つ、ストレーナ並びにドレントラップを具備して成る空気圧縮機におけるドレン排出構造であって、エアコンプレッサで発生したドレンを排出するためのコンプレッサドレン導入管が備えられると共に、エアドライヤで発生したドレンを排出するためのドライヤドレン導入管が備えられ、ストレーナは、ストレーナベースとストレーナエレメントと該ストレーナエレメントを内蔵し得るストレーナケースとから成り、ストレーナベースは、上方にストレーナエレメントを載置可能であって、ドレン導入管を接続可能な二個のドレン導入口を備えると共に、ストレーナケース内にドレンを噴出可能な各ドレン導入口に対応する二個のドレン噴出孔を備え、且つ、ストレーナエレメントを通過したドレンを排出し得る一のドレン排出口を備えて成り、コンプレッサドレン導入管並びにドライヤドレン導入管はドレン導入口を介してストレーナに接続されると共に、該ストレーナの後段にはドレン排出口に接続されるドレン導出管を介してドレントラップが接続されて成り、エアコンプレッサ並びにエアドライヤから排出されるドレンは共に一機のストレーナに送出され、該ストレーナを介してドレントラップにより外部へドレンが排出される手段を採る。
【００１１】
また、本発明は、前記ドライヤドレン導入管における所定中間箇所に、逆止弁が配設されて成る手段を採る。
【００１２】
さらに、本発明は、前記エアドライヤが、冷凍式エアドライヤである手段を採る。
【００１３】
またさらに、本発明は、前記ドレントラップが、電磁式ドレントラップである手段を採る。
【００１４】
さらにまた、本発明は、前記ドレントラップに、サイクルタイマーが装備されている手段を採る。
【発明の効果】
【００１５】
本発明にかかる空気圧縮機におけるドレン排出構造によれば、内蔵されたエアコンプレッサとエアドライヤの両機から排出されるドレンを、一機のストレーナを介在させると共に一機のドレントラップによって外部へ排出することが可能となるため、エアコンプレッサとエアドライヤの両機ごとに夫々ドレントラップを装備する必要がなく、簡易構造で装置の簡略化に資すると共に、メンテナンス性とコストパフォーマンス性並びに機能性の向上に資する、といった優れた効果を奏する。
【図面の簡単な説明】
【００１６】
【図１】本発明にかかる空気圧縮機におけるドレン排出構造の実施形態を示す説明図である。
【図２】本発明にかかる空気圧縮機におけるストレーナ及びドレントラップの実施形態を示す説明図である。
【発明を実施するための形態】
【００１７】
本発明にかかる空気圧縮機１におけるドレン排出構造は、内蔵されたエアコンプレッサ１０とエアドライヤ１２の両機から排出されるドレンＤを、一機のストレーナ２０を介在させると共に一機のドレントラップ３０によって外部へ排出することを最大の特徴とする。
以下、本発明にかかる空気圧縮機１におけるドレン排出構造の実施形態を、図面に基づいて説明する。
【００１８】
なお、本発明にかかる空気圧縮機１におけるドレン排出構造は、以下に述べる実施形態に特に限定されるものではなく、本発明の技術的思想の範囲内、すなわち同一の作用効果を発揮できる形状や寸法、材質等の範囲内で適宜変更することができる。
【００１９】
図１は、本発明にかかる空気圧縮機１におけるドレン排出構造の実施形態を示す説明図である。また、図２は、本発明にかかる空気圧縮機１におけるストレーナ２０及びドレントラップ３０の実施形態を示す説明図であり、（ａ）は側面図、（ｂ）は模式的平断面図である。
本発明にかかる空気圧縮機１におけるドレン排出構造は、エアコンプレッサ１０とエアドライヤ１２の両機を内蔵した空気圧縮機１において、圧縮空気Ａを生成する際に発生したドレンＤを排出するための構造である。
【００２０】
本発明にかかる空気圧縮機１は、エアコンプレッサ１０とエアドライヤ１２が内蔵され、且つ、ストレーナ２０とドレントラップ３０が具備されることで構成されており、これら各種機器は、コンプレッサドレン導入管１４やドライヤドレン導入管１６、ドレン導出管２６、配管路Ｒにより互いに接続されている。
【００２１】
エアコンプレッサ１０は、空気を圧縮して所定気圧以上の圧縮空気Ａを生成する機械であって、該圧縮空気Ａを生成するための構造によって、往復式や回転式、遠心式など種々の方式が存在する。本発明で使用するエアコンプレッサ１０の方式については、特に限定はなく、いずれの方式・構造のものでも使用することが可能である。該エアコンプレッサ１０には、生成した圧縮空気Ａを一時的に留め置くためのエアコンプレッサタンク１１が備えられており、生成された圧縮空気Ａをエアドライヤ１２へ送気するための配管路Ｒが接続されている。また、エアコンプレッサタンク１１には、生成された圧縮空気Ａの空気圧を測定し得る圧力計Ｓを備える態様が望ましく、機器動作の正常性やエアドライヤ１２との空気圧の均衡を監視することが可能となる。
【００２２】
配管路Ｒは、圧縮空気Ａを送気するための中空管から成り、エアコンプレッサ１０からエアドライヤ１２まで圧縮空気Ａを送気すべく配設される。また、エアドライヤ１２から先に圧縮空気Ａを送気する際にも、配管路Ｒが配設される。該配管路Ｒには、必要に応じて開閉バルブＢが備えられる。
【００２３】
エアコンプレッサ１０は、圧縮空気Ａを生成する過程において、飽和水蒸気量の低下によりドレンＤが発生するもので、発生したドレンＤは、エアコンプレッサタンク１１内に貯留される。エアコンプレッサタンク１１には、発生したドレンＤを排出すべくドレン孔１１ａが備えられ、該ドレン孔１１ａにはコンプレッサドレン導入管１４が接続されている。
【００２４】
コンプレッサドレン導入管１４は、ドレンＤを送出するための中空管から成り、エアコンプレッサ１０において圧縮空気を生成する際に発生したドレンＤをストレーナ２０へ送出すべく設けられる。該コンプレッサドレン導入管１４には、必要に応じて開閉バルブＢが備えられる。
【００２５】
エアドライヤ１２は、圧縮空気Ａを乾燥させ水分を取り除くための機器であって、水分の除去方式により、冷凍式や中空糸膜式、吸着式などが存在する。本発明で使用するエアドライヤ１２は、冷凍式や中空糸膜式、吸着式のいずれかを問うものではなく、特に限定されるものではないが、一般に繁用されているのは、冷凍式のエアドライヤ１２である。冷凍式のエアドライヤ３０は、冷媒の蒸発潜熱を利用して、圧縮空気Ａを冷却し、含有水分を凝縮して除去するための装置であって、比較的安価に導入することができるため、好適である。尚、エアドライヤ１２内の圧縮空気Ａの空気圧を測定し得る圧力計Ｓを備える態様が望ましく、機器動作の正常性やエアコンプレッサ１０との空気圧の均衡を監視することが可能となる。
【００２６】
エアドライヤ１２は、圧縮空気Ａ中の含有水分を除去する過程において、冷却による飽和水蒸気量の低下によりドレンＤが発生するもので、発生したドレンＤは、エアドライヤ１２内に貯留される。エアドライヤ１２には、発生したドレンＤを排出すべくドレン孔１２ａが備えられ、該ドレン孔１２ａにはドライヤドレン導入管１６が接続されている。
【００２７】
ドライヤドレン導入管１６は、ドレンＤを送出するための中空管から成り、エアドライヤ１２において圧縮空気Ａを生成する際に発生したドレンＤをストレーナ２０へ送出すべく設けられる。該ドライヤドレン導入管１６には、所定中間箇所に逆止弁１７を配設する態様が好適であり、該ドライヤドレン導入管１６におけるドレンＤの逆流を防止すべく機能する。通常であればエアコンプレッサ１０とエアドライヤ１２とは同圧状態となって均衡が保たれているが、エアコンプレッサ１０で生成し得る圧縮空気Ａの量よりもエアドライヤ１２の先で使用される圧縮空気Ａの量が多くなった場合に、エアドライヤ１２内の圧力がエアコンプレッサ１０内の圧力よりも低くなることが想定される。このとき、コンプレッサドレン導入管１４とドライヤドレン導入管１６とで圧の不均衡が生じることとなって、低圧のドライヤドレン導入管１６の方へドレンＤが逆流する可能性があるため、これを防止すべくドライヤドレン導入管１６に逆止弁２１を配設する態様が好適である。また、該ドライヤドレン導入管１６には、必要に応じて開閉バルブＢが備えられる。
【００２８】
尚、空気圧縮機１におけるエアコンプレッサ１０とエアドライヤ１２との配設位置について、図示の様に、エアドライヤ１２をエアコンプレッサ１０より高位置で配設する態様が好適である。かかる態様を採ることで、エアコンプレッサ１０並びにエアドライヤ１２で発生したドレンＤの水頭の高さｈが夫々異なることとなるため、各ドレンＤの間で水頭圧に差が生じ、エアドライヤ１２で発生したドレンＤは、ドライヤドレン導入管１６を介して、スムーズにストレーナ２０へ送出されることとなる。
【００２９】
ストレーナ２０は、エアコンプレッサ１０及びエアドライヤ１２から排出されるドレンＤの中に含まれる異物（油分やスラッジなど）を取り除くための器具であって、ストレーナベース２２と、該ストレーナベース２２の上方に載置されるストレーナエレメント２７と、該ストレーナエレメント２７を内蔵し得るストレーナケース２８とから構成されている。尚、ストレーナ２０を介在させることで、ドレントラップ３０の開放によってコンプレッサドレン導入管１４及びドライヤドレン導入管１６にて発生し得る負圧を食い止める機能としても作用する。
【００３０】
ストレーナベース２２には、コンプレッサドレン導入管１４並びにドライヤドレン導入管16を夫々接続可能な二個のドレン導入口２３が備えられている。また、ストレーナベース２２には、二個存するドレン導入口２３の各々に連通した二個のドレン噴出孔２４が備えられており、ストレーナケース２８内にドレンＤを噴出可能となっている。尚、ストレーナ２０に流入したドレンＤについて、ストレーナエレメント２７の外方から内方へ通過させるべく、ドレン噴出口２４は、ストレーナベース２２におけるストレーナエレメント２７を載置した箇所より外周位置に備えられる。さらに、ストレーナベース２２には、ストレーナエレメント２７を通過したドレンＤを排出し得る一のドレン排出口２５が備えられており、該ドレン排出口２５にはドレン導出管２６が接続されている。
【００３１】
ドレン導出管２６は、ドレンＤを送出するための中空管から成り、エアコンプレッサ１０及びエアドライヤ１２から排出されたドレンＤについて、ストレーナ２０にて異物を取り除いた後、該ストレーナ２０からドレントラップ３０へドレンＤを送出すべく設けられる。
【００３２】
ドレントラップ３０は、空気圧縮機１にて発生したドレンＤを機械的に外部へ排出するための機器であって、その排出方法により電磁式やフロート式などが存在する。本発明で使用するドレントラップ１２は、電磁式とフロート式とを問うものではなく、特に限定するものではないが、所定時間ごとの定期的なドレンＤの排出に鑑みると、電磁式のドレントラップ３０を採用することが好適である。ドレントラップ３０には、ストレーナ２０のドレン排出口２５に接続されたドレン導出管２６の他端が接続されることで、ストレーナ２０の後段に配設される。これにより、ストレーナ２０を介して送出されるドレンＤは、最終的にドレントラップ３０の作用で外部へ排出されることとなる。ドレントラップ３０には、ドレンＤを外部へ排出するためのドレン排出管３３が接続されている。
【００３３】
ドレン排出管３３は、ドレンＤを送出するための中空管から成り、エアコンプレッサ１０及びエアドライヤ１２から排出されたドレンＤについて、ドレントラップ３０を介して最終的に外部へ送出すべく設けられる。
【００３４】
本発明で使用するドレントラップ３０として、電磁式のドレントラップ３０を採用した場合、該ドレントラップ３０は、主に電磁弁３１とサイクルタイマー３２とで構成される。電磁弁３１は、電磁的に弁の開閉動作を行うもので、サイクルタイマー３２は、かかる電磁弁３１の開閉動作のサイクルと時間を制御するものである。すなわち、サイクルタイマー３２により、電磁弁３１によるドレンＤの排出サイクルと共にドレンＤの排出時間も制御することとなる。
【００３５】
以上の各構成要素から、本発明にかかる空気圧縮機１におけるドレン排出構造は構成される。本発明における圧縮空気Ａの流れは、以下のとおりとなる。
すなわち、空気圧縮機１において、エアコンプレッサ１０により生成された圧縮空気Ａは、配管路Ｒを通ってエアドライヤ１２に送気される。その後、圧縮空気Ａは、エアドライヤ１２にて乾燥されて水分が取り除かれた後、配管路Ｒを介して最終的に送気され、各種用途に用いられる。
【００３６】
本発明におけるドレンＤの流れは、以下のとおりである。
すなわち、空気圧縮機１において、エアコンプレッサ１０で発生したドレンＤは、エアコンプレッサタンク１１内に貯留され、該エアコンプレッサタンク１１に存するドレン孔１１ａを介してコンプレッサドレン導入管１４へ流出される。また、エアドライヤ１２で発生したドレンＤは、エアドライヤ１２内に貯留され、該エアドライヤ１２に存するドレン孔１２ａを介してドライヤドレン導入管１６へ流出される。コンプレッサドレン導入管１４内のドレンＤとドライヤドレン導入管１６内のドレンＤとは、共にストレーナベース２２におけるドレン導入口２３からストレーナ２０内に取り込まれる。ストレーナ２０内では、取り込まれたドレンＤがドレン噴出孔２４からストレーナケース２８内へ噴出され、該ストレーナケース２８に内蔵されたストレーナエレメント２７を外方から内方へ通過して、ストレーナベース２２に備わるドレン排出口２５を介してドレン導出管２６へ流出される。ドレン導出管２６内のドレンＤは、ドレントラップ３０を介してドレン排出管３３を通過し、最終的に外部へ排出される。そして、ドレントラップ３０の閉鎖（非開放状態）により、ドレンＤの排出は一時停止する。
【００３７】
尚、上記した本発明におけるドレンＤの一連の流れは、ドレントラップ３０の開放によって全体が負圧により引っ張られることで一連一体的に排出方向へ流れる態様であって、各機器間において個別にドレンＤの流出が行われるものではない。
【００３８】
以上のように、本発明にかかる空気圧縮機１におけるドレン排出構造は、内蔵されたエアコンプレッサ１０とエアドライヤ１２の両機から排出されるドレンＤを、一機のストレーナ２０を介在させると共に一機のドレントラップ３０によって外部へ排出することが可能であって、エアコンプレッサ１０とエアドライヤ１２の両方に夫々ドレントラップ３０を装備しない構成態様であるため、簡易構造で装置の簡略化に資すると共に、メンテナンス性とコストパフォーマンス性並びに機能性の向上に有益なものである。
【産業上の利用可能性】
【００３９】
本発明は、食品加工やレンズなど精密機器の仕上げ加工、清掃等の末端のほか、圧縮空気を使用するあらゆる分野において採用することが可能である。したがって、本発明にかかる「空気圧縮圧機におけるドレン排出構造」の産業上の利用可能性は大であると思料する。
【符号の説明】
【００４０】
１    空気圧縮機
１０    エアコンプレッサ
１１    エアコンプレッサタンク
１１ａ  ドレン孔
１２    エアドライヤ
１２ａ  ドレン孔
１４    コンプレッサドレン導入管
１６    ドライヤドレン導入管
１７    逆止弁
２０    ストレーナ
２２    ストレーナベース
２３    ドレン導入口
２４    ドレン噴出孔
２５    ドレン排出口
２６    ドレン導出管
２７    ストレーナエレメント
２８    ストレーナケース
３０    ドレントラップ
３１    電磁弁
３２    サイクルタイマー
３３    ドレン排出管
Ａ    圧縮空気
Ｂ    バルブ
Ｄ    ドレン
Ｒ    配管路
Ｓ    圧力計
ｈ    高さ
【要約】
【課題】エアコンプレッサとエアドライヤを内蔵する空気圧縮機において、ドレンの排出構造を簡略化する。
【解決手段】エアコンプレッサ１０とエアドライヤ１２とを備え、且つ、ストレーナ２０並びにドレントラップ３０を具備して成る空気圧縮機１におけるドレン排出構造であって、エアコンプレッサ１０で発生したドレンＤを排出するためのコンプレッサドレン導入管１４が備えられると共に、エアドライヤ１２で発生したドレンＤを排出するためのドライヤドレン導入管１６が備えられ、コンプレッサドレン導入管１４並びにドライヤドレン導入管１６はストレーナ２０に接続されると共に、該ストレーナ２０の後段にはドレントラップ３０が接続されて成り、エアコンプレッサ１０並びにエアドライヤ１２から排出されるドレンＤがストレーナ２０に送出され、該ストレーナ２０を介してドレントラップ３０により外部へドレンＤが排出される手段を採用する。
【選択図】図1【図１】
0006892162.tif 000002
【図２】
0006892162.tif 000003